(57)【要約】【課題】  もっとも良く使う機能を初期実行に設定し、ログイン時にそのスクリプトを実行する。【解決手段】  初期実行登録手段をもち、マイポータルのボタンのうちから一つを初期実行に登録すると、ユーザログイン時に、そのポータル機能を初期実行する。【選択図】  図１
2011056704.tif 000002
【特許請求の範囲】
【請求項１】
1つ以上の処理を1度に呼び出すスクリプトを実行可能な画像形成装置において、
ログインＩＤごとにユーザを区別するユーザ区別手段と、
前記ユーザ区別手段によって区別されたユーザごとに、前記スクリプトを初期設定に登録する初期設定登録手段と、
ユーザのログイン時に前記初期設定登録手段で登録された設定を実行する設定実行手段と、
を備える事を特徴とする画像形成装置。
【請求項２】
請求項１において、更に前記設定実行手段により実行された内容を前記画像形成装置の画面上に表示する表示手段を備える事を特徴とする画像形成装置。
【請求項３】
請求項１において、更に機能の実行を伴うスクリプトについては、初期設定に登録できないようにする事を特徴とする画像形成装置。
【請求項４】
請求項１において、更に前記設定実行手段により実行された内容が、機能の実行を伴う処理であった場合、実行開始を一時停止する事を特徴とする画像形成装置。
【発明の詳細な説明】
【技術分野】
【０００１】
本発明は、1つ以上の処理を1度に呼び出す事が可能なスクリプトを、ログインしたユーザごとに持つ事ができる画像形成装置に関するものである。
【背景技術】
【０００２】
従来の画像形成装置は、ログインＩＤ毎にウェブブラウザの設定が別々にでき、それぞれのログインＩＤの使用者が良く使う初期設定を設定できるものであった（特許文献１参照）。
【先行技術文献】
【特許文献】
【０００３】
【特許文献１】特開２００７−６５７２６号公報
【発明の概要】
【発明が解決しようとする課題】
【０００４】
上述した従来の技術は、ウェブブラウザを使用するときに、ユーザ別にログインし、該ユーザに対応する初期設定を実行するというものであった。
【０００５】
しかしこれでは、所望の機能を使用する時にしか初期設定が実行されないという問題があった。
【課題を解決するための手段】
【０００６】
本発明の画像形成装置は、1つ以上の処理を1度に呼び出すスクリプトを実行可能な画像形成装置において、ログインＩＤごとにユーザを区別するユーザ区別手段と、前記ユーザ区別手段によって区別されたユーザごとに、前記スクリプトを初期設定に登録する初期設定登録手段と、ユーザのログイン時に前記初期設定登録手段で登録された設定を実行する設定実行手段と、を備えることを特徴とする。
【発明の効果】
【０００７】
以上説明したように、本発明の画像形成装置は、ユーザログイン時に、初期設定を実行できるので、ユーザの操作性が向上するという効果がある。
【図面の簡単な説明】
【０００８】
【図１】本発明の原理を示す原理図である。
【図２】本発明の実施例１に係る画像形成装置の初期設定を登録する画面を表す図である。
【図３】本発明の実施例1に係る、操作部からのログインＩＤ入力時に、初期設定を実行する手順の一例を説明するためのフローチャートである。
【発明を実施するための形態】
【０００９】
（実施例１）
以下、本発明の実施の形態を詳細に説明する。
【００１０】
図１は、本発明を適用できる画像形成装置の動作原理を説明する原理図である。
【００１１】
画像形成装置として複合機１０１を例に挙げて説明する。
【００１２】
操作部１０２は液晶表示部と液晶表示部上に張り付けられたタッチパネル入力装置と、複数個のハードキーを有し、ユーザが様々な操作を行うためのユーザI/Fを提供する。操作部１０２は所定の情報を入出力するために用いられる。
【００１３】
本発明で用いるスクリプトとは、１つ以上の処理を1度に呼び出すためにひとまとめに保持しているデータ、または各処理を関連付けて呼び出すプログラムを示し、スクリプトを実行すると、保持している処理を一度に呼び出すことが可能である。スクリプトは、ワークフローや定型業務といった名称で呼ばれる事もある。スクリプトは、複合機１０１の記憶装置１０３に記憶される。
【００１４】
ユーザ区別手段１０５とは、操作部１０２から入力されたログインＩＤ値により、ユーザを区別する手段である。
【００１５】
初期設定登録手段１０６とは、スクリプトを初期設定項目に登録する手段である。
【００１６】
前述のログインＩＤごとに、対応した一対の初期設定項目を持つ。初期設定項目は複合機１０１が備える記憶装置１０３に記憶される。
【００１７】
図２は本発明を適用できる画像形成装置における初期設定を登録する画面である。画面には、複合機１０１に記憶されている複数のスクリプトが表示されている。ユーザはこれらの登録候補スクリプトのうち、任意の一つを選択する。選択されたスクリプトを、初期設定項目に登録し、初期設定を登録する画面は閉じる。
【００１８】
スクリプトに登録されている処理には、宛先番号やカラーモードなど、画面上の設定をするだけ留まる処理と、コピーや送信など、実際に複合機１０１が機能を実行する処理などができる。
【００１９】
このうち、機能実行を伴うスクリプトは初期設定項目に登録できないようにする。
【００２０】
登録できなくする方法として、該当のスクリプトを網掛け表示して、選択できなくする方法がある。また、他には、該当のスクリプトを選択した場合に、エラー画面を表示して、操作のやり直しを指示する方法もある。
【００２１】
以上の対策により、ユーザが意図せずに機能が実行されてしまう事を防ぐ事ができる。
【００２２】
設定実行手段１０７とは、初期設定項目として設定されているスクリプトを実行する手段である。
【００２３】
初期設定項目には、ユーザによって指定された1つのスクリプトを示すＩＤが記憶されている。そして、ユーザのログイン時に、初期設定項目に記憶されているＩＤのスクリプトの実行を行う。
【００２４】
設定表示手段１０８とは、スクリプトの実行によって実行された処理を、操作部１０２の画面上に表示する手段である。
【００２５】
ユーザは表示された設定を確認した後に、機能の実行開始指示を行う。
【００２６】
図３は、本発明の実施例1に係る、操作部１０２からのログインＩＤ入力時に、初期設定を実行する手順の一例を説明するためのフローチャートであり、Ｓ１０１からＳ１０４は各ステップを示す。
【００２７】
Ｓ１０１では、制御部１０４は、操作部１０２からログインＩＤが入力されたのを検知する。
【００２８】
Ｓ１０２では、制御部１０４は、検知したログインＩＤが登録済みのログインＩＤと一致するか判断する。一致すると判断した場合、処理はＳ１０３へ進む。一致しないと判断した場合、フローは終了する。
【００２９】
Ｓ１０３では、制御部１０４は、該当のログインＩＤに対し、初期設定項目が登録されているか判断する。登録されていると判断した場合、処理はＳ１０４へ進む。登録されていないと判断した場合、フローは終了する。
【００３０】
Ｓ１０４では、制御部１０４は、初期設定項目に登録されている初期設定を実行し、フローは終了する。
【００３１】
本実施例では、機能の実行を伴う処理は、初期設定項目に登録できない構成としたが、別の構成であってもかまわない。
【００３２】
例えば、機能の実行を伴う処理でも登録はできるようにする。そして、設定実行手段１０７が走った時に、機能の実行を開始せず、一時停止して、実行開始トリガーの存在する画面を複合機１０１の操作部１０２に表示し、ユーザからの操作を待つ構成であってもよい。以上の対応により、ユーザが機能の実行を望んでいない場合に、ログイン後に機能が実行されてしまうのを防ぐ事ができる。
【符号の説明】
【００３３】
１０１  複合機
１０２  操作部
１０３  記憶装置
１０４  制御部
１０５  ユーザ区別手段
１０６  初期設定登録手段
１０７  設定実行手段
１０８  設定表示手段
【図１】
2011056704.tif 000003
【図２】
2011056704.tif 000004
【図３】
2011056704.tif 000005